(57)【要約】【課題】  植木や草花等を用いて室や店舗等の雰囲気作りを行う際に、最適なプランターを提供する。【解決手段】  複数のケースＣと、これら複数のケースＣを垂直もしくはほぼ垂直方向に配置するフレーム５と、上記ケースＣに水を供給する水供給源Ｐとを備え、上記ケースには供給部３と、この供給部３よりもレベルを低くした排出部４とを形成するとともに、最上段に位置するケースＣの供給部３に水供給源Ｐを接続し、しかも一のケースＣの排出部４を、そのケースの下方に位置する他のケースＣの供給部３に連通させる。【選択図】  図３
2007295861.tif 000002
【特許請求の範囲】
【請求項１】
複数のケースと、これら複数のケースを垂直もしくはほぼ垂直方向に配置するフレームと、上記ケースに水を供給する水供給源とを備え、上記ケースには供給部と、この供給部よりもレベルを低くした排出部とを形成するとともに、最上段に位置するケースの供給部に水供給源を接続し、しかも一のケースの排出部を、そのケースの下方に位置する他のケースの供給部に連通させたプランター。一対の保持プレート間に中間プレートを介在させ、一方の保持プレートは中間プレートに対してＸ方向に移動可能に設け、他方の保持プレートは中間プレートに対して上記Ｘ方向に交差する方向に移動可能に設けるとともに、これら保持プレートにはころを回転自在に組み込むためのころ保持孔を形成し、このころ保持孔は、そのころ保持孔に組み込んだころが、上記保持プレートの移動方向に直交する方向に軸線を一致させる関係を保ち、しかも、上記ころ保持孔は、ころの軸方向両端側を支持する一方のころ接触部と、この一方のころ接触部よりも軸方向内側でころを支持する他方のころ接触部とを設けるとともに、これら両接触部間に段差を設けて、上記一方の接触部を上側接触部とし、上記他方の接触部を下側接触部としてなり、このころ保持孔でころを回転自在に保持する構成にしたスラスト軸受において、上記保持プレートには、ころ保持孔に対して、プレートの移動方向両側あるいは片側に逃げ孔を設けたスラスト軸受。
【発明の詳細な説明】
【技術分野】
【０００１】
この発明は、植木や草花を収納するプランターに関する。
【背景技術】
【０００２】
外部者が訪問する応接室や待合室、あるいは来店者が訪れる店舗等には、来店者等の気分を和ませるためや、室の雰囲気作りのために植木や草花を配置するが、こうした場所に配置する植木や草花は、プランターに収納した状態で配置されることが多い。このようにプランターを利用するのは、室内を清潔に保ったり、あるいは見栄えをよくしたりするためである。
すなわち、一般的には植木や草花は鉢に植えられていることが多いが、こうした鉢には土が盛られているため、鉢を直接床に置いてしまうと土が床にこぼれたり、植木や草花に水遣りをした際に、水が床にかかったりして、室内を汚してしまうおそれがある。また、鉢自体の見栄えが悪かったりして、かえって室の雰囲気を悪くしてしまう可能性もある。
そこで、鉢をプランターに収納することによって、外部から鉢を見えなくするとともに、鉢から土がこぼれたり、水遣りの際に床に水がかかったりしないようにして、室の演出を行うようにしているのである。
【特許文献１】特開平８−０３７９６４
【発明の開示】
【発明が解決しようとする課題】
【０００３】
上記のようなプランターを応接室や待合室等に用いる場合、植木や草花を目隠しに利用して、室内を小さな空間に仕切るという、いわゆるパーテーションとしての役割をもたせることが多々ある。しかし、プランターに収納した植木や草花をパーテーションとして用いる場合には、背丈の高い植木や草花を用いなければならない。なぜなら、プランターの高さは限られているため、背丈の低い植木や草花を用いると、パーテーションとして必要な高さを確保することができず、目隠しとしての役割を果たせなくなってしまうからである。このように、植木や草花をパーテーションとして用いる場合には、植木や草花の種類を自由に選択することができず、植木や草花が背丈の高いものに限られてしまうため、応接室や待合室において思い通りの雰囲気を醸し出すのが難しいという問題があった。
【０００４】
また、植木や草花をパーテーションとして利用する場合に、背丈の低い植木や草花を収納したプランターを、高い位置にある棚に配置することが考えられるが、実際には、プランターを高い位置に配置することはほとんどない。なぜなら、プランターに収納した植木や草花に水遣りをする場合には、プランターの上方から鉢に向かって水遣りをするが、あまり高いところにプランターを配置してしまうと、プランター内の鉢の位置が確認できず、水遣りが非常に面倒になってしまうからである。つまり、毎日、作業台等に登って鉢の位置を確認しながら水遣りをしなければならない等、植木や草花の世話が非常に面倒になってしまう。そのため、実際には、背丈の高い植木や草花をプランターに収納するとともに、当該プランターを床面に接地せざるをえないのである。
【０００５】
この発明の目的は、植木や草花等を用いて室や店舗等の雰囲気作りを行う際に、最適なプランターを提供することである。
【課題を解決するための手段】
【０００６】
この発明は、複数のケースと、これら複数のケースを垂直もしくはほぼ垂直方向に配置するフレームと、上記ケースに水を供給する水供給源とを備え、上記ケースには供給部と、この供給部よりもレベルを低くした排出部とを形成するとともに、最上段に位置するケースの供給部に水供給源を接続し、しかも一のケースの排出部を、そのケースの下方に位置する他のケースの供給部に連通させた点を特徴とする。
【発明の効果】
【０００７】
この発明によれば、最上段に位置するケースの供給部に水供給源を接続し、しかも一のケースの排出部を、そのケースの一段下方に位置する他のケースの供給部に連通させたので、プランター内に収納した植木や草花に水遣りをする必要がない。このように、水遣りをする必要がなければ、植木や草花を収納したケースを複数段垂直方向に重ねて配置することができる。
したがって、例えば植木や草花をパーテーションとして利用する場合に、背丈の低い植物を用いることも可能となる等、植木や草花の選択自由度が広がり、室や店舗等において、これまで以上に幅広い雰囲気作りが可能となる。
【発明を実施するための最良の形態】
【０００８】
図１〜３を用いてこの発明の第１実施形態について説明する。
図１に示すケースＣは、本体部１と、この本体部１内に収納可能な収納部２とからなるが、この収納部２は、本体部１よりも長手方向の長さを短く形成している。そして、本体部１に収納部２を収納すると、本体部１の長手方向両端に、間隔Ｓが形成される寸法関係を維持している。
また、上記収納部２には、その長手方向において対向する一方の面に、孔からなる供給部３を形成するとともに、他方の面には、供給部３よりもレベルを低くした位置に、同じく孔からなる排出部４を形成している。
【０００９】
上記の構成からなるケースＣは、図２に示すように、ケースＣの長手方向両端に形成される間隔Ｓに、中空の金属製部材からなるフレーム５を挿通させるとともに、上記ケースＣは、このフレーム５に図示しないネジによって固定されている。フレーム５には、複数のケースＣを垂直方向に所定の間隔を保って配置しているが、これらのケースＣは、その向きを交互に逆向きにしている。つまり、図３に示すように、ケースＣの収納部２には、長手方向の一方の面側に供給部３を形成するとともに、他方の面側に排出部４を形成しているが、最上段に位置するケースＣにおいては、図３中、左側に供給部３が位置している。そして、このケースＣの一段下に位置するケースＣは、図３中、左側に排出部４が位置するように固定している。このように、ケースＣをフレーム５に固定したとき、一方のフレーム５に対して、供給部３と排出部４とが交互に位置するようにしている。
【００１０】
また、フレーム５には、貫通孔６を複数設けているが、この貫通孔６は、ケースＣをフレーム５に固定したとき、収納部２に形成した供給部３および排出部４に対向して一致する関係を維持している。なお、両フレーム５，５の底部近傍にはパイプ孔７，７を形成している。
そして、両フレーム５，５間には、貯水用のタンクＴと、このタンクＴから水を吸い込むとともに、所定の流量を吐出する水供給源であるポンプＰとを備えている。
【００１１】
上記中空のフレーム５内には、樹脂製の接続パイプを複数設けるとともに、この接続パイプによって、各ケースＣの収納部２、ポンプＰ、タンクＴが次のようにして連通する。すなわち、接続パイプ８ａをフレーム５内に固定するとともに、その両端を貫通孔６，６から外部に突出させる。そして、貫通孔６，６から外部に突出した接続パイプ８ａの一端を、最上段に位置するケースＣの排出部４に固定するとともに、中段に位置するケースＣの供給部３に固定して両ケースＣを連通させる。また、上記と同様に、中段に位置する当該ケースＣの排出部４と、最下段に位置するケースＣの供給部３とを接続パイプ８ｂによって連通させる。
【００１２】
そして、一方のフレーム５内に設けた接続パイプ８ｃの一端をパイプ孔７から突出させてポンプＰに接続するとともに、接続パイプ８ｃの他端を最上段に位置するケースＣの供給部３に接続する。また、他方のフレーム５内に設けた接続パイプ８ｄの一端をパイプ孔７から突出させてタンクＴに接続するとともに、接続パイプ８ｄの他端を最下段に位置するケースＣの排出部４に接続する。
このように、第１実施形態におけるプランターは、接続パイプ８ａ〜８ｄによってポンプＰ、タンクＴ、各ケースＣを接続して循環流路を形成している。
なお、図３中の符号Ｌは、ケースＣの底面に設けた光源を示すものであり、図示しないスイッチを操作して発光させることができ、また、符号Ｆはフィルターを示している。
【００１３】
次に第１実施形態の作用について説明する。
図３に示すように、第１実施形態のプランターは、各ケースＣの収納部２内に、植木や草花等を植栽した鉢９を収納する。なお、このプランターに用いる鉢９の構造は、鉢９を介して内部の土壌が外部から水分を吸水することができる吸水性のあるものであれば、どのようなものでも収納することができる。したがって、例えば、微細孔を介して内部に水分を吸水することができるセラミックス製の鉢や、底部に開口を設けたアルミ製の鉢であっても当該プランターを利用することができる。
【００１４】
そして、植栽を施した上記のような鉢９を収納部２内に収納したら、タンクＴ内に所定量の水を給水するとともに、ポンプＰを駆動して接続パイプ８ｃ内に所定の圧力で水を吐出させる。
ポンプＰから吐出した水は、接続パイプ８ｃを介して最上段に位置するケースＣの供給部３から収納部２内に供給されるとともに、当該供給水が収納部２内に貯水されていく。収納部２内に貯水された水の水位が、排出部４の高さに至ると、収納部２内の水が排出部４から接続パイプ８ａ内に排水される。
接続パイプ８ａ内に排水された水は、中段に位置するケースＣの供給部３から収納部２内に供給されるとともに、供給された水が排出部４の高さにまで至ると、収納部２内の水が、排出部４から接続パイプ８ｂ内に排水される。そして、上記と同様にして、最下段に位置するケースＣの排出部４から排水された水は、接続パイプ８ｄを介してタンクＴに戻される。
【００１５】
このように、ポンプＰから吐出された水は、最上段に位置するケースＣから下段に位置するケースＣに循環供給されるとともに、各収納部２内に所定量の水を常時確保することができる。
したがって、吸水性を有する鉢９を、このプランターの収納部２内に収納しておけば、鉢９内の土壌が水分を吸水することができるので、特に鉢９に植栽した植木や草花に水遣りをする必要がない。
このように、水遣りをする必要がなければ、植木や草花を収納したケースＣを複数段垂直方向に重ねて配置しても、植木や草花の世話が面倒になることがない。
そのため、例えば植木や草花をパーテーションとして利用する場合に、背丈の低い植物を用いることも可能となる等、植木や草花の選択自由度が広がり、室や店舗等において、これまで以上に幅広い雰囲気作りが可能となる。
【００１６】
しかも、ケースＣの底面には光源Ｌを設けているため、ケースＣを垂直方向に複数段配置しても、光源Ｌを発光させれば、植木や草花に光を供給することができる。このように、この実施形態のプランターによれば、ケースＣに収納した植木や草花に対して、光と水を確実に供給することができるので、植木や草花の世話を非常に簡単にすることができる。
なお、上記第１実施形態においては、本体部１と収納部２とを別部材によって形成したが、本体部１に仕切りを形成する等、本体部１と収納部２とを一体に形成しても構わない。
【００１７】
図４，５を用いてこの発明の第２実施形態について説明する。
なお、上記第１実施形態と同様の構成要素については同様の符号を付するとともに、その詳細な説明は省略する。
図４に示すケースＣ１は、本体部１０内部に収納部１１を一体に形成するとともに、本体部１０の上面に、円形の収納孔１２を複数形成している。上記本体部１０には、図５に示すように、上面に複数の孔からなる供給部１３を設けるとともに、底面内部には凸部１４を形成し、この凸部１４には、上記供給部１３よりもレベルを低く保った孔状の排出部１５を設けている。なお、本体部１０の外部底面には光源Ｌを設けている。
【００１８】
上記の構成からなるケースＣ１は、中空のフレーム１６に固定するとともに、ケースＣ１の垂直方向下方には、上記のケースＣ１と同様の構成であって、ケースＣ１よりもその外周を大きくしたケースＣ２およびケースＣ３を配置している。なお、最下段に位置するケースＣ３の底面には光源Ｌを設けず、上記ポンプＰおよびタンクＴを収納する容器１７を固定している。
そして、上記フレーム１６は、その先端を湾曲させるとともに、その一端をケースＣ１の垂直方向上方において開口させ、他端を容器１７内に収納したポンプＰに接続している。
また、最下段に位置するケースＣ３の排出部１５には、接続パイプ１８の一端を固定するとともに、接続パイプ１８の他端を容器１７内に収納したタンクＴに接続している。
【００１９】
次に第２実施形態の作用について説明する。
図４に示すように、第２実施形態のプランターは、植木や草花等を植栽した上記鉢９を、各ケースＣ１〜３の収納孔１２から収納部１１に収納する。鉢９を収納部１１に収納したら、タンクＴ内に所定量の水を給水するとともに、ポンプＰを駆動してフレーム１６内に所定の圧力で水を吐出させる。
すると、ポンプＰから吐出した水は、フレーム１６内を通過して、ケースＣ１の上方に位置するフレーム１６の開口から、ケースＣ１上方に向かって射出する。
【００２０】
最上段に位置するケースＣ１の本体部１０上面に射出した水は、本体部１０上面に形成した供給部１３を介して収納部１１内に供給されるとともに、当該供給水が収納部１１内に貯水されていく。収納部１１内に貯水された水の水位が、凸部１４の高さに至ると、収納部１１内の水が排出部１５を介してケースＣ１の本体部１０底面から下方に排水される。
このようにケースＣ１の排出部１５から排水された水は、中段に位置するケースＣ２の本体部１０上面に射出するとともに、ケースＣ２の供給部１３から収納部１１内に供給されるとともに、供給された水が凸部１４の高さにまで至ると、収納部１１内の水が、排出部１５から排水される。そして、上記と同様にして、最下段に位置するケースＣ３内に供給された水は、その排出部１５から排水されるとともに、接続パイプ１８を介してタンクＴに戻される。
【００２１】
このように、ポンプＰから吐出された水は、最上段に位置するケースＣ１から下段に位置するケースＣ２、Ｃ３に循環供給されるとともに、各収納部１１内に所定量の水を常時確保することができ、上記第１実施形態と同様の効果を得ることができる。
また、上記第２実施形態のプランターによれば、排出部１５を下段に位置する供給部１３の上方に位置させるとともに、排出部１５から排水される水を、重力によって下段に位置するケースＣの供給部１３に供給するようにしたので、各ケースＣを接続するパイプが必要ない。したがって、その分製造コストを低減することができる。
しかも、フレーム１６の先端を湾曲させたので、この湾曲部を持てばプランターを簡単に持ち運びすることができる。
【００２２】
なお、上記第２実施形態においては、各ケースの供給部１３と排出部１５とがパイプ等によって接続されていないが、上段に位置するケースの排出部１５から排出された水が、下段に位置するケースの供給部１３に導かれるような位置関係を維持している。したがって、物理的には離れているものの、この第２実施形態においても、上段に位置するケースの排出部１５と下段に位置するケースの供給部１３とが連通していることとなる。
また、上記第１，２実施形態においては、ポンプＰおよびタンクＴを設け、供給水を永久循環する構成としたが、ポンプおよびタンクは必須の構成要件ではない。例えば、水道の蛇口に接続パイプを接続して、最上段に位置するケースに水を供給するとともに、各ケースを順次通過した水をタンクＴに導かずに捨ててしまうようにしても構わない。いずれにしても、供給水が最上段に位置するケースから順次、下段に位置するケースを循環する構成であればよい。したがって、この場合にはタンクＴやフィルターＦを設ける必要がない。
【図面の簡単な説明】
【００２３】
【図１】第１実施形態におけるケースを示す図である。
【図２】第１実施形態におけるケースをフレームに固定した状態を示す部分図である。
【図３】第１実施形態におけるプランターの正面図である。
【図４】第２実施形態におけるプランターを示す図である。
【図５】第２実施形態におけるプランターの正面断面図である。
【符号の説明】
【００２４】
３      供給部
４      排出部
５      フレーム
１３    供給部
１５    排出部
Ｃ，Ｃ１，Ｃ２，Ｃ３  ケース
Ｐ      水供給源であるポンプ
【図１】
2007295861.tif 000003
【図２】
2007295861.tif 000004
【図３】
2007295861.tif 000005
【図４】
2007295861.tif 000006
【図５】
2007295861.tif 000007
【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
複数のケースと、これら複数のケースを垂直もしくはほぼ垂直方向に配置するフレームと、上記ケースに水を供給する水供給源とを備え、上記ケースには供給部と、この供給部よりもレベルを低くした排出部とを形成するとともに、最上段に位置するケースの供給部に水供給源を接続し、しかも一のケースの排出部を、そのケースの下方に位置する他のケースの供給部に連通させたプランター。